(57)【特許請求の範囲】
【請求項１】
発光ピークが５４０〜５７０ｎｍにある緑色蛍光体と、発光ピークが６００〜６７０ｎｍにある赤色蛍光体と、２価のユーロピウムと２価のマンガンで付活された青緑色蛍光体であり、かつ２価のユーロピウムによる発光のピーク高さＩＥｕと２価のマンガンによる発光のピーク高さＩＭｎとの比率ＩＭｎ／ＩＥｕが、蛍光ランプの相関色温度の逆数（Ｍｒ）を用いて、（ＩＭｎ／ＩＥｕ）≧０．３×１０４Ｍｒ＋０．１３を満足する青緑色蛍光体とを主成分とした混合蛍光体からなる蛍光体層をガラス管内面に形成し、相関色温度が２８００Ｋ〜７５００Ｋであることを特徴とする蛍光ランプ。
【請求項２】
前記比率ＩＭｎ／ＩＥｕが、蛍光ランプの相関色温度の逆数（Ｍｒ）を用いて、（ＩＭｎ／ＩＥｕ）≧０．３×１０４Ｍｒ＋０．１３かつ（ＩＭｎ／ＩＥｕ）≦２．０２×１０４Ｍｒ−１．５６を満足することを特徴とする請求項１に記載の蛍光ランプ。
【請求項３】
前記緑色蛍光体が３価テルビウム付活もしくは３価テルビウム、３価セリウム付活もしくは２価マンガン、３価テルビウム付活緑色蛍光体の少なくとも一種類からなり、前記赤色蛍光体が３価ユーロピウム付活もしくは２価マンガン付活もしくは４価マンガン付活赤色蛍光体の少なくとも一種類からなることを特徴とする請求項１または請求項２に記載の蛍光ランプ。
【請求項４】
前記２価のユーロピウムと２価のマンガンで付活された青緑色蛍光体が、２価ユーロピウム、２価マンガン付活アルミン酸塩蛍光体であり、一般式（Ｂａ１−ａ−ｂＭａＥｕｂ）Ｏ・ｘ（Ｍｇ１−ｃＭｎｃ）Ｏ・ｙＡｌ２Ｏ３（ただし、０．８≦ｘ≦２．０，４≦ｙ≦８，０≦ａ≦０．９５，０．０５≦ｂ≦０．４，０＜ａ＋ｂ≦１，０．０２５≦ｃ≦０．４、ＭはＣａ，Ｓｒから選ばれる少なくとも一種の元素）で表されることを特徴とする請求項１〜請求項３のいずれかに記載の蛍光ランプ。
【発明の詳細な説明】
【０００１】
【発明の属する技術分野】
本発明は蛍光ランプに関するものである。
【０００２】
【従来の技術】
近年、一般照明用の蛍光ランプとしては、蛍光体に青色、緑色、赤色に発光ピークを有する蛍光体を用いた蛍光体層を有する相関色温度２８００Ｋ〜７５００Ｋの三波長域発光形蛍光ランプが多く用いられている。この三波長域発光形蛍光ランプには、発光中心が希土類元素のイオンであり高効率な希土類蛍光体が主に用いられている。
【０００３】
一般的によく用いられる蛍光体としては、ユーロピウム付活アルミン酸バリウムマグネシウム青色蛍光体、ユーロピウム付活ストロンチウムクロロアパタイト青色蛍光体、セリウム・テルビウム付活燐酸ランタン緑色蛍光体、ユーロピウム付活酸化イットリウム赤色蛍光体等が挙げられる。この三波長域発光形蛍光ランプは、単独で白色発光するカルシウムハロフォスフェート蛍光体Ｃａ１０（ＰＯ４）６ＦＣｌ：Ｓｂ，Ｍｎを蛍光体層として用いた蛍光ランプに比べ高光束・高演色であるため、高価であるにも関わらず広く普及している。
【０００４】
この三波長域発光形蛍光ランプにおいて、青色、緑色、赤色の３つの発光に、ある特定の波長域の発光をさらに加えることにより照明された物体の色の見えがより鮮やかに改善されることが多数報告されている。６２０ｎｍ以上の深赤色の波長域、もしくは５００〜５３５ｎｍの緑色の波長域等が、青色、緑色、赤色の３つの発光に加えた場合に物体の色の見えをより鮮やかにする代表的な波長域として知られている。
【０００５】
【発明が解決しようとする課題】
しかしながら、照明された物体の色の鮮やかさの改善という目的を達成するためには、三波長域発光形蛍光ランプで使用される一般的な青色、緑色、赤色に発光する合計３種類以上の蛍光体材料に加え、少なくとも一種類以上の物体の色の見えの鮮やかさを改善させる、ある特定の波長域に発光を有する蛍光体材料を使用する必要がある。
【０００６】
このような蛍光ランプを製造する際には、蛍光体材料の種類の増加により工程がより煩雑になることや、製造コストの増大は避けられない問題である。
【０００７】
本発明は上記の問題を解決するためになされたものであり、使用する蛍光体材料の種類を増加させないで、照明された物体の色の見えの鮮やかさが改善される蛍光ランプを提供することを目的とするものである。
【０００８】
【課題を解決するための手段】
本発明の蛍光ランプは、発光ピークが５４０〜５７０ｎｍにある緑色蛍光体と、発光ピークが６００〜６７０ｎｍにある赤色蛍光体と、２価のユーロピウムと２価のマンガンで付活された青緑色蛍光体であり、かつ２価のユーロピウムによる発光のピーク高さＩＥｕと２価のマンガンによる発光のピーク高さＩＭｎとの比率ＩＭｎ／ＩＥｕが、蛍光ランプの相関色温度の逆数（Ｍｒ）を用いて、（ＩＭｎ／ＩＥｕ）≧０．３×１０４Ｍｒ＋０．１３を満足する青緑色蛍光体とを主成分とした混合蛍光体からなる蛍光体層をガラス管内面に形成し、相関色温度２８００Ｋ〜７５００Ｋであることを特徴とする蛍光ランプである。
【０００９】
これにより、使用する蛍光体材料の種類を増加させないで、照明された物体の色の見えの鮮やかさを改善することができる。
【００１０】
請求項２に記載の発明は、請求項１記載の蛍光ランプにおいて、前記比率ＩＭｎ／ＩＥｕが、蛍光ランプの相関色温度の逆数（Ｍｒ）を用いて、（ＩＭｎ／ＩＥｕ）≧０．３×１０４Ｍｒ＋０．１３かつ（ＩＭｎ／ＩＥｕ）≦２．０２×１０４Ｍｒ−１．５６を満足する構成を有する。
【００１１】
これにより、照明された物体の色の見えの鮮やかさが改善され、色の見え方が特に好ましくすることができる。
【００１２】
請求項３に記載の発明は、請求項１または請求項２に記載の蛍光ランプにおいて、前記緑色蛍光体が３価テルビウム付活もしくは３価テルビウム、３価セリウム付活もしくは２価マンガン、３価テルビウム付活緑色蛍光体の少なくとも一種類からなり、前記赤色蛍光体が３価ユーロピウム付活もしくは２価マンガン付活もしくは４価マンガン付活赤色蛍光体の少なくとも一種類からなる構成を有する。
【００１３】
これらの蛍光体材料を使用することにより、使用する蛍光体材料の種類を増加させないで、照明された物体の色の見えの鮮やかさを改善することができる。
【００１４】
請求項４に記載の発明は、請求項１〜請求項３のいずれかに記載の蛍光ランプにおいて、前記２価のユーロピウムと２価のマンガンで付活された青緑色蛍光体が、２価ユーロピウム、２価マンガン付活アルミン酸塩蛍光体であり、一般式（Ｂａ１−ａ−ｂＭａＥｕｂ）Ｏ・ｘ（Ｍｇ１−ｃＭｎｃ）Ｏ・ｙＡｌ２Ｏ３（ただし、０．８≦ｘ≦２．０，４≦ｙ≦８，０≦ａ≦０．９５，０．０５≦ｂ≦０．４，０＜ａ＋ｂ≦１，０．０２５≦ｃ≦０．４、ＭはＣａ，Ｓｒから選ばれる少なくとも一種の元素）で表される構成を有する。
【００１５】
これによって２価のユーロピウムと２価のマンガンで付活された青緑色蛍光体が得られ、使用する蛍光体材料の種類を増加させないで、照明された物体の色の見えの鮮やかさを改善することができる。
【００１６】
【発明の実施の形態】
まず、照明された物体の色の見えの鮮やかさを定量的に示す指標について説明する。
【００１７】
よく知られている鮮やかさを示す指標として、ＪＩＳ  Ｚ  ８７２６−１９９０に記載の色域面積比（記号：Ｇａ）が挙げられる。これは、平均演色評価数Ｒａを算出する際に使用する番号１〜８の８つの試験色をある試料光源によって照明した時に、見える色をＣＩＥ１９６４Ｕ＊Ｖ＊均等色空間上にプロットし、座標上にできる８角形の面積を比較するものである。図１はＣＩＥ１９６４Ｕ＊Ｖ＊均等色空間上において、８つの試験色をある試料光源によって照明したときの色度点をプロットした図である。
【００１８】
ＣＩＥ１９６４Ｕ＊Ｖ＊均等色空間上の８つの点をそれぞれ結んで出来た８角形の面積は、試料光源（図１中実線で示す）と同じ相関色温度の基準光源（図１中破線で示す）と比較され、Ｇａ＝（試料光源がつくる８角形の面積）／（基準光源がつくる８角形の面積）×１００で算出される。なお、ここで述べた基準光源とは、試料光源と同じ相関色温度の黒体放射、もしくはＣＩＥ合成昼光である。このＧａを算出するのに用いられる番号１〜８の試験色は、いろいろな色相を持ち、そのマンセル明度はすべて６である、中程度の鮮やかさをもつ色サンプルである。そのため、Ｇａはすべての色に対する平均的な鮮やかさの指標として用いられ、Ｇａが１００以上であれば基準光源よりも平均的に彩度が増しており、すなわち鮮やかさが増していることを意味する。
【００１９】
そのため本発明では、照明された物体の色の鮮やかさと蛍光ランプの分光スペクトルの関係について多数の解析をおこなったが、このＧａを鮮やかさを示す指標として、実際の目で見た視感評価とともに用いた。
【００２０】
本発明の蛍光ランプは、発光ピークが５４０〜５７０ｎｍにある緑色蛍光体と、発光ピークが６００〜６７０ｎｍにある赤色蛍光体と、２価のユーロピウムと２価のマンガンで付活された青緑色蛍光体であり、かつ２価のユーロピウムによる発光のピーク高さＩＥｕと２価のマンガンによる発光のピーク高さＩＭｎとの比率ＩＭｎ／ＩＥｕが、蛍光ランプの相関色温度の逆数（Ｍｒ）を用いて、（ＩＭｎ／ＩＥｕ）≧０．３×１０４Ｍｒ＋０．１３を満足する青緑色蛍光体とを主成分とした混合蛍光体からなる蛍光体層をガラス管内面に形成した相関色温度２８００Ｋ〜７５００Ｋの蛍光ランプであり、これにより三波長域発光形蛍光ランプで一般的な４５０〜４６０ｎｍ付近の青色発光、５４０〜５７０ｎｍ付近の緑色発光、６００〜６７０ｎｍ付近の赤色発光の３つの発光に加え、青緑色蛍光体の２価のマンガンにより５００〜５３５ｎｍ付近の発光が適切量追加されることにより、使用する蛍光体材料の種類を増加させないで、照明された物体の色の見えの鮮やかさを改善することのできる蛍光ランプが得られる。
【００２１】
図２は本発明の一実施形態として、セリウム・テルビウム付活燐酸ランタン緑色蛍光体を２６重量％、ユーロピウム付活酸化イットリウム赤色蛍光体を４１重量％、ＩＭｎ／ＩＥｕが１．３であるユーロピウム・マンガン付活アルミン酸バリウムマグネシウム青緑色蛍光体３３重量％使用して作成した、相関色温度５０００Ｋ，ＣＩＥ１９６０ｕｖ色度図上における黒体軌跡からの色度偏差０の蛍光ランプ（以下、本発明品という）の分光スペクトル（図２中実線で示す）である。併せて、セリウム・テルビウム付活燐酸ランタン緑色蛍光体を４６重量％、ユーロピウム付活酸化イットリウム赤色蛍光体を３３重量％、ユーロピウム付活アルミン酸バリウムマグネシウム青色蛍光体を２１重量％使用して同じ光色に作成した従来の一般的な三波長域発光形蛍光ランプ（以下、比較品という）の分光スペクトルを破線で示した。
【００２２】
本発明のランプで照明したいろいろな色彩の物体が存在する空間を視感評価したところ、いろいろな色彩をより鮮やかに照明することができた。また、色域面積比Ｇａは１１１．４であり、比較品のＧａ＝１０２．２を大きく上回った。
【００２３】
本発明品では、５４０〜５７０ｎｍ付近の緑色発光にセリウム・テルビウム付活燐酸ランタン緑色蛍光体（ＬａＰＯ４：Ｃｅ，Ｔｂ）、６００〜６７０ｎｍ付近の赤色発光にユーロピウム付活酸化イットリウム赤色蛍光体（Ｙ２Ｏ３：Ｅｕ）、青緑色蛍光体として組成を変化させて２価のユーロピウムによる発光のピーク高さＩＥｕと２価のマンガンによる発光のピーク高さＩＭｎとの比率ＩＭｎ／ＩＥｕを様々に変化させたユーロピウム・マンガン付活アルミン酸バリウムマグネシウム青緑色蛍光体を使用して、いろいろな光色の蛍光ランプを作成した。
【００２４】
図３、図４および図５は、相関色温度が３５００Ｋ、５０００Ｋ、６７００Ｋの蛍光ランプにおいて、使用した青緑色蛍光体の２価のユーロピウムによる発光のピーク高さＩＥｕと２価のマンガンによる発光のピーク高さＩＭｎとの比率ＩＭｎ／ＩＥｕと、比較の蛍光ランプに対するＧａの増加数ΔＧａの関係を示した図である。
【００２５】
図３〜図５から明らかなように、いずれの相関色温度の蛍光ランプにおいても、緑色蛍光体、赤色蛍光体と共に使用される青緑色蛍光体のＩＭｎ／ＩＥｕが増加するに従い、ΔＧａも増加することがわかる。これらの蛍光ランプで照明したいろいろな色彩の物体が存在する空間を視感評価したところ、ΔＧａ＝＋２．５以上ではいろいろな色彩をより鮮やかに照明することができた。図３〜図５には、ΔＧａ＝＋２．５となるＩＭｎ／ＩＥｕの値を示してある。これを蛍光ランプの相関色温度の逆数Ｍｒの関数として表し、（ＩＭｎ／ＩＥｕ）≧０．３×１０４Ｍｒ＋０．１３を得た。
【００２６】
緑色蛍光体、赤色蛍光体と共に使用される青緑色蛍光体のＩＭｎ／ＩＥｕが、上式を満たすとき本発明の効果が得られ、使用する蛍光体材料の種類を増加させないで、照明された物体の色の見えの鮮やかさが改善される蛍光ランプが得られる。
【００２７】
またさらなる解析の結果、ＩＭｎ／ＩＥｕが増加するに従いΔＧａも増加し照明された物体の色の鮮やかさが増すが、Ｇａの増加は２．５≦ΔＧａ≦１５の範囲が特に好ましいことを見出した。ΔＧａ＝１５を越えても鮮やかさは増し本発明の効果は得られるが、照明される対象物によっては鮮やかさが強すぎ、不自然に見える場合もある。そこで色の鮮やかさが改善され、色の見え方が特に好ましい範囲は２．５≦ΔＧａ≦１５の範囲であると決定した。図３〜図５には、ΔＧａ＝＋１５となるＩＭｎ／ＩＥｕの値も併せて示してある。これを蛍光ランプの相関色温度の逆数Ｍｒの関数として表し、（ＩＭｎ／ＩＥｕ）≧０．３×１０４Ｍｒ＋０．１３かつ（ＩＭｎ／ＩＥｕ）≦２．０２×１０４Ｍｒ−１．５６を得た。
【００２８】
緑色蛍光体、赤色蛍光体と共に使用される青緑色蛍光体のＩＭｎ／ＩＥｕが、上式を満たすとき本発明の効果が得られ、使用する蛍光体材料の種類を増加させないで、照明された物体の色の見えの鮮やかさが改善され、色の見え方が特に好ましい蛍光ランプが得られる。図４に本発明における、色の鮮やかさが改善され、色の見え方が特に好ましいＩＭｎ／ＩＥｕの範囲、すなわち（ＩＭｎ／ＩＥｕ）≧０．３×１０４Ｍｒ＋０．１３かつ（ＩＭｎ／ＩＥｕ）≦２．０２×１０４Ｍｒ−１．５６（Ｍｒは蛍光ランプの相関色温度の逆数）を斜線部で示した。
【００２９】
なお、本発明は発光ピークが５４０〜５７０ｎｍにある緑色蛍光体と、発光ピークが６００〜６７０ｎｍにある赤色蛍光体と、２価のユーロピウムと２価のマンガンで付活された青緑色蛍光体であり２価のユーロピウムによる発光のピーク高さＩＥｕと２価のマンガンによる発光のピーク高さＩＭｎとの比率ＩＭｎ／ＩＥｕが所定の範囲内である青緑色蛍光体の組み合わせを蛍光体層中に有する蛍光ランプであるが、一般的な蛍光ランプにおいては演色性等、色の見え方のさらなる改善を狙って、ある特定の波長域に発光を追加することがある。例えば、４９０ｎｍ付近にピークを有する蛍光体を青色、緑色、赤色蛍光体と共に蛍光体層として適量添加することによって、平均演色評価数（Ｒａ）を上昇できる場合があることはよく知られている。本発明においても上記の手段は有効であって、かつ本発明の効果は失われないことは言うまでもない。
【００３０】
本発明の蛍光ランプを実現するための発光ピークが５４０〜５７０ｎｍである緑色蛍光体は、３価テルビウム付活もしくは３価テルビウム、３価セリウム付活もしくは２価マンガン、３価テルビウム付活緑色蛍光体の少なくとも一種類からなるものを用いればよい。代表的な蛍光体としては、セリウム・テルビウム付活燐酸ランタン蛍光体（ＬＡＰ蛍光体）やテルビウム付活アルミン酸セリウムマグネシウム蛍光体（ＣＡＴ蛍光体）等がよく知られている。
【００３１】
また、本発明の蛍光ランプを実現するための発光ピークが６００〜６７０ｎｍである赤色蛍光体は、３価ユーロピウム付活もしくは２価マンガン付活もしくは４価マンガン付活赤色蛍光体の少なくとも一種類からなるものを用いればよい。代表的な蛍光体としては、ユーロピウム付活酸化イットリウム蛍光体（ＹＯＸ蛍光体）等がよく知られている。また、必要に応じてユーロピウム付活酸硫化イットリウム蛍光体（ＹＯＳ蛍光体）、マンガン付活ホウ酸セリウムガドリニウム蛍光体（ＣＢＭ蛍光体）、マンガン付活ゲルマン酸フルオロマグネシウム蛍光体（ＭＦＧ蛍光体）等を併せて使用することもできる。
【００３２】
また、本発明の蛍光ランプを実現するための青緑色蛍光体としては、２価ユーロピウム、２価マンガン付活アルミン酸塩蛍光体がある。具体的には一般式（Ｂａ１−ａ−ｂＭａＥｕｂ）Ｏ・ｘ（Ｍｇ１−ｃＭｎｃ）Ｏ・ｙＡｌ２Ｏ３（ただし、０．８≦ｘ≦２．０，４≦ｙ≦８，０≦ａ≦０．９５，０．０５≦ｂ≦０．４，０＜ａ＋ｂ≦１，０．０２５≦ｃ≦０．４、ＭはＣａ，Ｓｒから選ばれる少なくとも一種の元素）で表されることを特徴とする、２価ユーロピウム、２価マンガン付活アルミン酸塩蛍光体を用いればよい。
【００３３】
一般式中の記号ａ，ｂ，ｃ，ｘ，ｙは、アルミン酸塩蛍光体を構成する化合物の含有量を示しており、それぞれ範囲を指定した。これについて詳しく述べる。
【００３４】
一般式において記号ａはＭＯ（ＭはＣａ，Ｓｒから選ばれる少なくとも一種の元素）の含有量を示している。２価ユーロピウム、２価マンガン付活アルミン酸塩蛍光体において、バリウムの一部または全てをカルシウム、ストロンチウムで置換することによって、２価のユーロピウムによる青色発光のスペクトルのピークの位置がシフトしたり、半値幅が変化することがよく知られている。本発明の蛍光ランプに用いられる青緑色蛍光体においても同様の現象が見られ、かつ本発明の効果も得ることができる。
【００３５】
一般式において記号ｂはＥｕ２Ｏ３の含有量を示しており、含有量が０．０５未満では充分な発光が得られず、０．４を越えると濃度消光により発光が著しく減少するため、０．０５≦ｂ≦０．４とした。
【００３６】
一般式において記号ｃはＭｎＯの含有量であり、０．０２５≦ｃ≦０．４とした。この範囲内のＭｎＯの含有により、適切量のＭｎによる発光を有する青緑色蛍光体が得られ、この青緑色蛍光体を緑色、赤色蛍光体と共に使用することで本発明の蛍光ランプを得ることができる。なお、ｃが０．４を越えるとユーロピウムの場合と同様に濃度消光をおこし、発光が減少するため実用に適さない。
【００３７】
一般式において記号ｘはＭｇＯの含有量を、記号ｙはＡｌ２Ｏ３の含有量をそれぞれ示している。そして、記号ｘが０．８≦ｘ≦２．０を、記号ｙが４≦ｙ≦８を満足する場合、適切な発光特性を有する蛍光体が得られる。一方、記号ｘが０．８≦ｘ≦２．０を、記号ｙが４≦ｙ≦８を満足しない場合、発光ピーク高さ、輝度とも著しく低下し、実用に適したアルミン酸塩蛍光体を得ることはできない。
【００３８】
一般式（Ｂａ１−ａ−ｂＭａＥｕｂ）Ｏ・ｘ（Ｍｇ１−ｃＭｎｃ）Ｏ・ｙＡｌ２Ｏ３（ただし、０．８≦ｘ≦２．０，４≦ｙ≦８，０≦ａ≦０．９５，０．０５≦ｂ≦０．４，０＜ａ＋ｂ≦１，０．０２５≦ｃ≦０．４、ＭはＣａ，Ｓｒから選ばれる少なくとも一種の元素）で表されることを特徴とする、２価ユーロピウム、２価マンガン付活アルミン酸塩蛍光体は、以下のようにして合成することができる。まず、蛍光体の原料としては、
（１）酸化バリウム、炭酸バリウム、ハロゲン化バリウム等のバリウム化合物。
（２）酸化カルシウム、水酸化カルシウム、炭酸カルシウム等のカルシウム化合物。
（３）酸化ストロンチウム、炭酸ストロンチウム、ハロゲン化ストロンチウム等のストロンチウム化合物。
（４）酸化ユーロピウム、ハロゲン化ユーロピウム等のユーロピウム化合物。
（５）酸化マグネシウム、水酸化マグネシウム、炭酸マグネシウム等のマグネシウム化合物。
（６）酸化マンガン、炭酸マンガン、ハロゲン化マンガン等のマンガン化合物。（７）酸化アルミニウム、水酸化アルミニウム、ハロゲン化アルミニウム等のアルミニウム化合物。
が用いられる。
【００３９】
上記原料を秤量し、その混合物を充分に粉砕・混合する。これをアルミナ製の坩堝等の耐熱性容器に入れ、還元性雰囲気において１１００〜１６００℃の温度で数時間焼成する。これにより、一般式（Ｂａ１−ａ−ｂＭａＥｕｂ）Ｏ・ｘ（Ｍｇ１−ｃＭｎｃ）Ｏ・ｙＡｌ２Ｏ３（ただし、０．８≦ｘ≦２．０，４≦ｙ≦８，０≦ａ≦０．９５，０．０５≦ｂ≦０．４，０＜ａ＋ｂ≦１，０．０２５≦ｃ≦０．４、ＭはＣａ，Ｓｒから選ばれる少なくとも一種の元素）で表されることを特徴とする、２価ユーロピウム、２価マンガン付活アルミン酸塩蛍光体を合成することができる。
【００４０】
次に、本発明の一実施形態について説明する。
セリウム・テルビウム付活燐酸ランタン緑色蛍光体（ＬＡＰ蛍光体）、ユーロピウム付活酸化イットリウム赤色蛍光体（ＹＯＸ蛍光体）、そしてこれまでに述べた方法で合成された、いろいろなＩＭｎ／ＩＥｕの２価ユーロピウム、２価マンガン付活アルミン酸塩蛍光体を用いて相関色温度がおよそ６７００Ｋ、５０００Ｋ、３５００Ｋ、３０００Ｋの本発明にかかる蛍光ランプを作成した。なお、蛍光体の種類が増加しないので、ランプ作成の手間は従来の三波長域発光形蛍光ランプの作成と全く同じであった。
【００４１】
また、比較品としてそれぞれ同じ相関色温度で、セリウム・テルビウム付活燐酸ランタン緑色蛍光体とユーロピウム付活酸化イットリウム赤色蛍光体とユーロピウム付活アルミン酸バリウムマグネシウム青色蛍光体（ＢＡＭ蛍光体）を使用した、一般的な三波長域発光形蛍光ランプを作成し、実際の観測評価をおこなった。その結果を図７に示す。
【００４２】
図７では左から順に、作成ランプ記号、蛍光体の種類とその重量比、本発明の蛍光ランプに用いられる青緑色蛍光体のＩＭｎ／ＩＥｕ、作成ランプのＣＩＥ１９３１ｘｙ色度座標、作成ランプの相関色温度、作成ランプの相関色温度の逆数、作成ランプのＣＩＥ１９６０ｕｖ色度図上における黒体軌跡からの色度偏差Δｕｖ（ただし、プラスはＣＩＥ１９６０ｕｖ色度図上において黒体軌跡から左上側への色度偏差、マイナスは黒体軌跡から右下側への色度偏差を示す。）、鮮やかさの指標である色域面積比Ｇａ、最後に作成したランプの視感評価の結果である。
【００４３】
なお作成したランプの視感評価は、ほぼ同じ色温度の従来の一般的な三波長域発光形蛍光ランプ（比較品１〜４）と比較をおこない、いろいろな色彩の物体が存在する空間を視感評価した時に、◎印（比較品よりも鮮やかであり、特に色が好ましく見える）、○印（比較品よりも鮮やかである）、×印（比較品との相違が感じられない）の３段階評価で示した。
【００４４】
また、図７において、作成した蛍光ランプに用いられた青緑色蛍光体のＩＭｎ／ＩＥｕと、作成した蛍光ランプの相関色温度の逆数との関係を、図６で示した本発明の効果を有する範囲上にマッピングしたものを図８に示す。なお、図中の◎印、○印、×印は図７の視感評価の結果であり、図中のアルファベットは図７の作成ランプの記号を示している。
【００４５】
以上より本発明の効果が得られる、作成した蛍光ランプに用いられた青緑色蛍光体のＩＭｎ／ＩＥｕの範囲を確認することができた。
【００４６】
【発明の効果】
以上のように本発明によれば、使用する蛍光体材料の種類を増加させないで、照明された物体の色の見えの鮮やかさを改善することのできる蛍光ランプを得ることができる。
【図面の簡単な説明】
【図１】色域面積比Ｇａを説明するＣＩＥ１９６４Ｕ＊Ｖ＊均等色空間の図
【図２】本発明の一実施形態の蛍光ランプの分光分布図
【図３】相関色温度３５００Ｋの本発明の蛍光ランプにおける比率ＩＭｎ／ＩＥｕと、比較品に対するＧａの増加数ΔＧａとの関係を示した図
【図４】相関色温度５０００Ｋの本発明の蛍光ランプにおける比率ＩＭｎ／ＩＥｕと、比較品に対するＧａの増加数ΔＧａとの関係を示した図
【図５】相関色温度６７００Ｋの本発明の蛍光ランプにおける比率ＩＭｎ／ＩＥｕと、比較品に対するＧａの増加数ΔＧａとの関係を示した図
【図６】色の鮮やかさが改善され、色の見え方が特に好ましい本発明の蛍光ランプが得られるときの、比率ＩＭｎ／ＩＥｕと蛍光ランプの相関色温度の逆数との関係を示した図
【図７】本発明の一実施形態である蛍光ランプと、比較品との観測評価を示す図
【図８】本発明の一実施形態である蛍光ランプにおける比率ＩＭｎ／ＩＥｕと蛍光ランプの相関色温度の逆数との関係を、視感評価の結果とともに示した図
【図１】
0003608395.tif 000002
【図２】
0003608395.tif 000003
【図３】
0003608395.tif 000004
【図４】
0003608395.tif 000005
【図５】
0003608395.tif 000006
【図６】
0003608395.tif 000007
【図７】
0003608395.tif 000008
【図８】
0003608395.tif 000009